(57)【要約】      （修正有）【課題】透光性シートの表面に形成された蛍光体の発光輝度が高く、且つ、取扱いが容易であると共に、複数種類の表示を行うことが可能な表示装置を実現する。【解決手段】紫外線で励起される第１の蛍光体14と青色可視光で励起される第２の蛍光体15が形成された透光性シート16と、第１の面状放電管12及び第２の面状放電管13より成る光源を備えた表示装置10であり、放電管12，13は、透光性絶縁材より成る前面基板18及び背面基板20を有する気密外囲器24内に放電ガスと電極26を封入すると共に、背面基板20の内面20ａに多数の凹部30を形成して成り、前面基板18の外面を出光面18ｂと成すと共に、背面基板20の内面20ａに、第１の面状放電管12の場合は紫外線放射用の第４の蛍光体32を配置し、第２の面状放電管13の場合は青色可視光放射用の第５の蛍光体33を配置し、さらに、透光性シート16を、放電管12，13の出光面18ｂ上に載置した。【選択図】図１
0003136905.tif 000002
【実用新案登録請求の範囲】
【請求項１】
文字・図形等の所定形状を表す励起波長の異なる複数種類の蛍光体が形成された透光性シートと、一面が出光面と成された透光性基板を有し、上記透光性基板の出光面から上記複数種類の蛍光体を励起する複数の波長の光を放射する光源とを備えた表示装置であって、上記複数種類の蛍光体が形成された透光性シートを、上記透光性基板の出光面上に載置したことを特徴とする表示装置。
【請求項２】
上記複数種類の蛍光体が、紫外線で励起される第１の蛍光体、青色可視光で励起される第２の蛍光体、赤外線で励起される第３の蛍光体の何れか２種類以上であることを特徴とする請求項１に記載の表示装置。
【請求項３】
上記光源が、第１の面状放電管及び第２の面状放電管で構成されており、
上記第１の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、上記前面基板の外面を出光面と成すと共に、上記凹部の形成された背面基板の内面に、上記透光性シートに形成された第１の蛍光体を励起する波長の紫外線を放射する第４の蛍光体を配置して成り、
上記第２の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、上記前面基板の外面を出光面と成すと共に、上記凹部の形成された背面基板の内面に、上記透光性シートに形成された第２の蛍光体を励起する波長の青色可視光を放射する第５の蛍光体を配置して成り、
上記第１の面状放電管及び第２の面状放電管の出光面上に、第１の蛍光体及び第２の蛍光体が形成された透光性シートを載置したことを特徴とする請求項２に記載の表示装置。  
【請求項４】
上記光源が、第１の面状放電管及び第２の面状放電管で構成されており、
上記第１の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、また、上記前面基板の外面を出光面と成し、さらに、上記凹部の形成された背面基板の内面に反射層を形成すると共に、該反射層の表面に、上記透光性シートに形成された第１の蛍光体を励起する波長の紫外線を放射する第４の蛍光体を配置して成り、
上記第２の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、また、上記前面基板の外面を出光面と成し、さらに、上記凹部の形成された背面基板の内面に反射層を形成すると共に、該反射層の表面に、上記透光性シートに形成された第２の蛍光体を励起する波長の青色可視光を放射する第５の蛍光体を配置して成り、
上記第１の面状放放電管及び第２の面状放電管の出光面上に、第１の蛍光体及び第２の蛍光体が形成された透光性シートを載置したことを特徴とする請求項２に記載の表示装置。  
【請求項５】
上記反射層が白色誘電体で構成されていることを特徴とする請求項４に記載の表示装置。
【請求項６】
上記白色誘電体が、酸化ケイ素と酸化チタンの混合物であることをことを特徴とする請求項５に記載の表示装置。
【請求項７】
上記反射層が、背面基板の内面を白色化して形成されることを特徴とする請求項４に記載の表示装置。
【請求項８】
背面基板の内面にサンドブラスト処理を施すことにより、背面基板の内面を白色化して成る上記反射層が形成されることを特徴とする請求項７に記載の表示装置。
【請求項９】
上記光源が、透光性シートに形成された第１の蛍光体を励起させる波長の紫外線を放射する第１の発光ダイオード及び透光性シートに形成された第２の蛍光体を励起させる波長の青色可視光を放射する第２の発光ダイオードと、透光性基板を有しており、該透光性基板の一面が、上記第１の発光ダイオード及び第２の発光ダイオードから放射された光が出射する出光面と成されていることを特徴とする請求項２に記載の表示装置。
【考案の詳細な説明】
【技術分野】
【０００１】
この考案は、文字・図形等の所定形状を表す蛍光体が被着形成された透光性シートと、上記蛍光体を励起する波長の光を放射する光源を備えた表示装置に関する。
【背景技術】
【０００２】
図１８乃至図２０は、従来の表示装置の一例を示すものであり、該表示装置60は、表面に、文字・図形等の所定形状を表す蛍光体64が被着形成された樹脂等より成る透光性シート62を有している。図１８においては、「右折可能」の文字と、矢印「→」の図形を表す形状が、上記蛍光体64によって形成されている。該蛍光体64は、紫外線等の所定波長の光で励起されて所定色の可視光を発光するものである。また、66は、透光性シート62の背面側に配置され、上記蛍光体64を励起する波長の光を放射する光源としての蛍光灯66である。
【０００３】
上記表示装置60にあっては、蛍光灯66を点灯させることにより、該蛍光灯66から放射された光が、透光性シート62を透過して蛍光体64に照射され、その結果、蛍光体64から所定色の可視光が発光され、上記「右折可能」の文字と矢印「→」が表示されるようになっている。
尚、図示は省略するが、表面に文字・図形等の所定形状を表す蛍光体が被着形成された透光性シートの前面側に、蛍光灯を配置した表示装置も従来から存在しており、この場合は、蛍光灯から放射された光が、透光性シート表面の蛍光体に照射される結果、蛍光体から所定色の可視光が発光され、所定形状の表示が行われるようになっている。
【考案の開示】
【考案が解決しようとする課題】
【０００４】
上記した従来の表示装置60にあっては、光源である蛍光灯66と透光性シート62との間に所定の距離が設けられていることから、蛍光体64に照射される光が拡散・減衰し、蛍光体64の発光輝度が低かった。
また、光源である蛍光灯66と、蛍光体64が被着形成された透光性シート62とが別体構成であったことから、取扱いが不便であった。
さらに、従来の表示装置60にあっては、光源からの光で励起される１種類の蛍光体64のみを透光性シート62に形成していたことから、１種類の表示しか行うことができなかった。
【０００５】
本考案は、従来の上記問題点に鑑みて案出されたものであり、その目的とするところは、透光性シートの表面に形成された蛍光体の発光輝度が高く、且つ、取扱いが容易であると共に、複数種類の表示を行うことが可能な表示装置を実現することにある。
【課題を解決するための手段】
【０００６】
上記の目的を達成するため、請求項１に記載の表示装置は、文字・図形等の所定形状を表す励起波長の異なる複数種類の蛍光体が形成された透光性シートと、一面が出光面と成された透光性基板を有し、上記透光性基板の出光面から上記複数種類の蛍光体を励起する複数の波長の光を放射する光源とを備えた表示装置であって、上記複数種類の蛍光体が形成された透光性シートを、上記透光性基板の出光面上に載置したことを特徴とする。
【０００７】
請求項２に記載の表示装置は、請求項１に記載の表示装置において、上記複数種類の蛍光体が、紫外線で励起される第１の蛍光体、青色可視光で励起される第２の蛍光体、赤外線で励起される第３の蛍光体の何れか２種類以上であることを特徴とする。
【０００８】
請求項３に記載の表示装置は、請求項２に記載の表示装置において、上記光源が、第１の面状放電管及び第２の面状放電管で構成されており、上記第１の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、上記前面基板の外面を出光面と成すと共に、上記凹部の形成された背面基板の内面に、上記透光性シートに形成された第１の蛍光体を励起する波長の紫外線を放射する第４の蛍光体を配置して成り、上記第２の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、上記前面基板の外面を出光面と成すと共に、上記凹部の形成された背面基板の内面に、上記透光性シートに形成された第２の蛍光体を励起する波長の青色可視光を放射する第５の蛍光体を配置して成り、上記第１の面状放電管及び第２の面状放電管の出光面上に、第１の蛍光体及び第２の蛍光体が形成された透光性シートを載置したことを特徴とする。  
【０００９】
請求項４に記載の表示装置は、請求項２に記載の表示装置において、上記光源が、第１の面状放電管及び第２の面状放電管で構成されており、上記第１の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、また、上記前面基板の外面を出光面と成し、さらに、上記凹部の形成された背面基板の内面に反射層を形成すると共に、該反射層の表面に、上記透光性シートに形成された第１の蛍光体を励起する波長の紫外線を放射する第４の蛍光体を配置して成り、上記第２の面状放電管は、所定の間隙を隔てて対向配置された透光性絶縁材より成る前面基板及び背面基板を有する気密外囲器の内部に放電ガス及び電極を封入すると共に、上記背面基板の内面に多数の凹部を形成して成り、また、上記前面基板の外面を出光面と成し、さらに、上記凹部の形成された背面基板の内面に反射層を形成すると共に、該反射層の表面に、上記透光性シートに形成された第２の蛍光体を励起する波長の青色可視光を放射する第５の蛍光体を配置して成り、上記第１の面状放電管及び第２の面状放電管の出光面上に、第１の蛍光体及び第２の蛍光体が形成された透光性シートを載置したことを特徴とする。  
【００１０】
請求項５に記載の表示装置は、請求項４に記載の表示装置において、上記反射層が白色誘電体で構成されていることを特徴とする。
【００１１】
請求項６に記載の表示装置は、請求項５に記載の表示装置において、上記白色誘電体が、酸化ケイ素と酸化チタンの混合物であることをことを特徴とする。
【００１２】
請求項７に記載の表示装置は、請求項４に記載の表示装置において、上記反射層が、背面基板の内面を白色化して形成されることを特徴とする。
【００１３】
請求項８に記載の表示装置は、請求項７に記載の表示装置において、背面基板の内面にサンドブラスト処理を施すことにより、背面基板の内面を白色化して成る上記反射層が形成されることを特徴とする。
【００１４】
請求項９に記載の表示装置は、請求項２に記載の表示装置において、上記光源が、透光性シートに形成された第１の蛍光体を励起させる波長の紫外線を放射する第１の発光ダイオード及び透光性シートに形成された第２の蛍光体を励起させる波長の青色可視光を放射する第２の発光ダイオードと、透光性基板を有しており、該透光性基板の一面が、上記第１の発光ダイオード及び第２の発光ダイオードから放射された光が出射する出光面と成されていることを特徴とする。
【考案の効果】
【００１５】
請求項１に記載の表示装置にあっては、励起波長の異なる複数種類の蛍光体が形成された透光性シートを、上記透光性基板の出光面上に載置しているので、出光面から放射される光源の光を、殆ど拡散・減衰させることなく透光性シートに形成された蛍光体に照射することができ、蛍光体の発光輝度を高めることができる。
また、励起波長の異なる複数種類の蛍光体が形成された透光性シートを、上記透光性基板の出光面上に載置したことにより、光源と透光性シートとが一体構成と成されており、その取扱いが容易である。
さらに、透光性シートに励起波長の異なる複数種類の蛍光体を形成すると共に、透光性基板の出光面から上記複数種類の蛍光体を励起する複数の波長の光を放射する光源を有しているので、光源から放射する光の波長を適宜選択することにより、複数種類の蛍光体の内の何れか１つのみによる表示、或いは、複数種類の蛍光体の内の２以上の表示を行うことができる。
【００１６】
また、請求項３に記載の表示装置の場合、第１の面状放電管、第２の面状放電管は、第４の蛍光体、第５の蛍光体が配置される背面基板の内面に多数の凹部を形成したので、背面基板内面の表面積を大きく確保することができる。この結果、背面基板の内面に被着する第４の蛍光体、第５の蛍光体の量及び表面積が増大し、第１の面状放電管、第２の面状放電管から放射される光の強度を向上させることができる。
【００１７】
さらに、請求項４に記載の表示装置の場合、第１の面状放電管、第２の面状放電管における背面基板の内面に反射層を形成し、該反射層の表面に第４の蛍光体、第５の蛍光体を配置しているので、背面基板側に向かった光を反射層で反射させて前面基板側へ導くことができ、前面基板の出光面から放射される光の強度を向上させることができる。この結果、透光性シートに形成された第１の蛍光体、第２の蛍光体から発光される可視光の輝度向上を図ることができる。
【考案を実施するための最良の形態】
【００１８】
以下、図面に基づき、本考案に係る表示装置の実施形態を説明する。
図１及び図２は、本考案に係る第１の表示装置10を示すものであり、該表示装置10は、光源としての第１の面状放電管12及び第２の面状放電管13と、表面に第１の蛍光体14及び第２の蛍光体15が被着形成された透光性シート16を備えている。尚、第１の蛍光体14及び第２の蛍光体15を、透光性シート16の裏面に形成することもできる。
上記透光性シート16は、樹脂やガラスで構成することができる。また、多数の繊維が立体的に絡み合って形成され、繊維間に多数の空隙を有する不織布で上記透光性シート16を構成しても良い。
【００１９】
図２に示すように、上記透光性シート16に形成された第１の蛍光体14及び第２の蛍光体15は、文字・図形等を表す所定形状に形成されており、図２においては、透光性シート16の左半分の領域に、第１の蛍光体14として「左折可」の文字と矢印「←」の図形を表す形状が形成され、透光性シート16の右半分の領域に、第２の蛍光体15として「右折可」の文字と矢印「→」の図形を表す形状が形成されている。
上記第１の蛍光体14と第２の蛍光体15とは、励起波長が異なっており、本実施形態の場合、第１の蛍光体14は３００〜４１０ｎｍの紫外線によって励起されて所定色の可視光を発光するものと成されており、第２の蛍光体15は、４３０〜４８０ｎｍの青色可視光によって励起されて所定色の可視光を発光するものと成されている。
【００２０】
尚、上記第１の蛍光体14、第２の蛍光体15以外に、７３０〜９８０ｎｍの赤外線によって励起されて所定色の可視光を発光する第３の蛍光体（図示せず）を用いることもできる。すなわち、透光性シート16の表面に、紫外線で励起される第１の蛍光体14、青色可視光で励起される第２の蛍光体15、赤外線で励起される第３の蛍光体の何れか２種類以上を被着形成するようにしても良い。
赤外線で励起される第３の蛍光体としては、例えば、以下の組成のものを用いることができる。
赤外線で励起されて赤色可視光を発光する赤色発光用の第３の蛍光体として、ＹＯＣｌ：Ｙｂ，Ｅｒ、Ｙ３ＯＣｌ７：Ｙｂ，Ｅｒ等がある。
赤外線で励起されて緑色可視光を発光する緑色発光用の第３の蛍光体として、ＬａＦ３：Ｙｂ，Ｅｒ、ＹＦ３：Ｙｂ，Ｅｒ等がある。
赤外線で励起されて青色可視光を発光する青色発光用の第３の蛍光体として、ＹＦ３：Ｙｂ，Ｔｍ等がある。
上記赤色発光用の第３の蛍光体、緑色発光用の第３の蛍光体、青色発光用の第３の蛍光体を適宜選択・混合して用いることで、種々の色の発色が可能である。
また、第３の蛍光体を励起する赤外線を放射する光源として、ＬｉＡｌＯ２：Ｆｅ等の赤外線発光蛍光体を備えた放電管や、７３０〜９８０ｎｍの赤外線を発光するＳｉドープＧａＡｓ発光ダイオード等を用いることができる。
【００２１】
上記第１の面状放電管12及び第２の面状放電管13は、図３及び図４に示すように、厚さ数mmの平板ガラス等の透光性を備えた絶縁材より成る前面基板18と、同じく厚さ数mmの平板ガラス等の透光性を備えた絶縁材より成る背面基板20とを、所定の間隙を隔てて対向配置すると共に、両基板18，20周縁を低融点ガラス等の封着材22を介して気密に封止して略扁平直方体形状の気密外囲器24を形成して成る。
【００２２】
さらに、気密外囲器24内には、後述する第４の蛍光体、第５の蛍光体を励起させる波長の光（紫外線や可視光）を放射する放電ガスが封入されている。尚、紫外線を放射する放電ガスとしては、例えば、１４７ｎｍと１７２ｎｍの紫外線を放射するアルゴンとキセノンの混合物が該当し、このガスは数十Torrのガス圧で封入される。
【００２３】
また、上記前面基板18の内面18ａには、一対の帯状の透明な電極26，26が所定の間隙を隔てて並設されている。これら一対の電極26，26は、透明な誘電体層28で被覆されている。上記電極26は、ＮＥＳＡ膜（ＳｎＯ２）やＩＴＯ膜（Ｉｎ２Ｏ３・ＳｎＯ２）等で構成され、上記誘電体層28は、ＭｇＯ等で構成される。
【００２４】
上記背面基板20の内面20ａには多数の凹部30が形成されると共に、第１の面状放電管12にあっては第４の蛍光体32が被着・配置され、第２の面状放電管13にあっては第５の蛍光体33が被着・配置されている。
第１の面状放電管12の上記第４の蛍光体32は、透光性シート16に形成された第１の蛍光体14を励起させる波長の紫外線を放射するものである。また、第２の面状放電管13の上記第５の蛍光体33は、透光性シート16に形成された第２の蛍光体15を励起させる波長の青色可視光を放射するものである。  
第１の面状放電管12の第４の蛍光体32としては、例えば、ピーク波長が３６８ｎｍの紫外線を放射するＳｒ４ＢＯ７：Ｅｕを使用することができ、Ｓｒ４ＢＯ７：Ｅｕより成る第４の蛍光体32を、ニトロセルロースやエチルセルロース等のバインダーと混合して、背面基板20の内面20ａに被着・焼成される。
一方、第２の面状放電管13の第５の蛍光体33としては、例えば、ピーク波長が４５０ｎｍの青色可視光を放射するＢａＭｇＡｌ１０Ｏ１７：Ｅｕを使用することができ、ＢａＭｇＡｌ１０Ｏ１７：Ｅｕより成る第５の蛍光体33を、ニトロセルロースやエチルセルロース等のバインダーと混合して、背面基板20の内面20ａに被着・焼成される。
【００２５】
第１の面状放電管12、第２の面状放電管13の前面基板18の外面は、それぞれ第４の蛍光体32、第５の蛍光体33から放射された光が出射する出光面18ｂと成されている。第１の蛍光体14及び第２の蛍光体15が被着形成された上記透光性シート16は、第１の面状放電管12、第２の面状放電管13の前面基板18の出光面18ｂ上に載置されている。
この際、第１の面状放電管12の出光面18ｂ上に、透光性シート16の第１の蛍光体14が配置されると共に、第２の面状放電管13の出光面18ｂ上に、透光性シート16の第２の蛍光体15が配置されるようになっている。
【００２６】
紫外線で励起されて所定色の可視光を発光する上記第１の蛍光体14としては、例えば、以下の組成のものを用いることができる。
紫外線で励起されて赤色可視光を発光する赤色発光用の第１の蛍光体14として、Ｙ２Ｏ３：Ｅｕ、Ｌａ２Ｏ２Ｓ：Ｅｕ等がある。
紫外線で励起されて緑色可視光を発光する緑色発光用の第１の蛍光体14として、Ｚｎ２ＳｉＯ４：Ｍｎ、（Ｙ，Ｇｄ）ＢＯ３：Ｔｂ等がある。
紫外線で励起されて青色可視光を発光する青色発光用の第１の蛍光体14として、ＢａＭｇＡｌ１０Ｏ１７：Ｅｕ、Ｓｒ１０（ＰＯ４）６Ｃｌ２：Ｅｕ等がある。
上記赤色発光用の第１の蛍光体14、緑色発光用の第１の蛍光体14、青色発光用の第１の蛍光体14を適宜選択・混合して用いることで、種々の色の発色が可能である。
【００２７】
また、青色可視光で励起されて所定色の可視光を発光する上記第２の蛍光体15としては、例えば、以下の組成のものを用いることができる。
青色可視光で励起されて赤色可視光を発光する赤色発光用の第２の蛍光体15として、ＣａＡｌＳｉＮ３：Ｅｕ、（Ｓｒ，Ｃａ）Ｓ：Ｅｕ等がある。
青色可視光外で励起されて緑色可視光を発光する緑色発光用の第２の蛍光体15として、α−ＳｉＡｌＯＮ：Ｅｕ、ＹＡＧ：Ｃｅ等がある。
青色可視光外で励起されて青色可視光を発光する青色発光用の第２の蛍光体15として、ＣａＳｒＳ：Ｂｉ、Ｓｒ４Ａｌ１４Ｏ２５：Ｅｕ，Ｄｙ等がある。
上記赤色発光用の第２の蛍光体15、緑色発光用の第２の蛍光体15、青色発光用の第２の蛍光体15を適宜選択・混合して用いることで、種々の色の発色が可能である。
【００２８】
尚、上記第１の蛍光体14、第２の蛍光体15、第３の蛍光体、第４の蛍光体32、第５の蛍光体33は、有機、無機の蛍光染料や、有機、無機の蛍光顔料を含むものである。
【００２９】
上記第１の表示装置10にあっては、第１の面状放電管12の一対の電極26，26に電圧を印加すると、気密外囲器24内で放電が生成されて所定波長の光が放射され、この光が第４の蛍光体32を励起することにより、上記第１の蛍光体14を励起させる波長の紫外線が放射される。放射された紫外線は、前面基板18を透過して出光面18ｂから略均一に外部へ放射され、透光性シート16に形成された第１の蛍光体14を励起する。この結果、第１の蛍光体14から所定色の可視光が発光され、図５に示すように、「左折可」の文字と矢印「←」が表示されるのである。尚、透光性シート16の第２の蛍光体15は紫外線で励起されることはないため表示されない。
また、第２の面状放電管13の一対の電極26，26に電圧を印加すると、気密外囲器24内で放電が生成されて所定波長の光が放射され、この光が第５の蛍光体33を励起することにより、上記第２の蛍光体15を励起させる波長の青色可視光が放射される。放射された青色可視光は、前面基板18を透過して出光面18ｂから略均一に外部へ放射され、透光性シート16に形成された第２の蛍光体15を励起する。この結果、第２の蛍光体15から所定色の可視光が発光され、図６に示すように、「右折可」の文字と矢印「→」が表示されるのである。尚、透光性シート16の第１の蛍光体14は青色可視光で励起されることはないため表示されない。
さらに、第１の面状放電管12及び第２の面状放電管13の両方を駆動させると、第１の面状放電管12から放射された紫外線によって透光性シート16の第１の蛍光体14が励起されると共に、第２の面状放電管13から放射された青色可視光によって透光性シート16の第２の蛍光体15が励起され、図２に示すように、第１の蛍光体14による「左折可」の文字と矢印「←」、第２の蛍光体15による「右折可」の文字と矢印「→」が表示される。
【００３０】
次に、図７乃至図９に基づいて、第１の面状放電管12及び第２の面状放電管13の背面基板20に凹部30を形成すると共に、第４の蛍光体32、第５の蛍光体33を被着する方法について説明する。
先ず、背面基板20の内面20ａに、多数の貫通孔34を有するマスク部材36を配置する（図７参照）。次に、マスク部材36の上方から背面基板20の内面20ａに向かって、粒子状の砂38を圧縮空気で吹き付けるサンドブラスト処理を施す。
この結果、マスク部材36の貫通孔34に対応する箇所の背面基板20の内面20ａが所定深さ削られ、上記凹部30が形成される（図８）。尚、砂を吹き付ける時間や空気圧を調整することにより、任意の深さの凹部30を形成することができる。
その後、背面基板20の上方から、第４の蛍光体32或いは第５の蛍光体33の分散された樹脂液を印刷塗布することにより、多数の凹部30の形成された背面基板20の内面20ａに第４の蛍光体32或いは第５の蛍光体33が被着・配置される（図９）。
【００３１】
上記第１の面状放電管12、第２の面状放電管13は、第４の蛍光体32、第５の蛍光体33が配置される背面基板20の内面20ａに多数の凹部30を形成したので、背面基板内面20ａの表面積を大きく確保することができる。この結果、背面基板20の内面20ａに被着する第４の蛍光体32、第５の蛍光体33の量及び表面積が増大し、第１の面状放電管12、第２の面状放電管13から放射される光の強度を向上させることができる。
【００３２】
図１０及び図１１は、本考案に係る第２の表示装置40を示すものであり、該第２の表示装置40は、第１の面状放電管12、第２の面状放電管13における上記凹部30の形成された背面基板20の内面20ａに反射層42が形成されると共に、該反射層42の表面に、上記第４の蛍光体32、第５の蛍光体33が被着・配置されている点に特徴を有し、その他の構成は、上記第１の表示装置10と実質的に同一である。
上記反射層42は白色誘電体で構成されており、例えば、酸化ケイ素（ＳｉＯ２）と酸化チタン（ＴｉＯ２）の混合物が該当する。
【００３３】
第２の表示装置40にあっては、第１の面状放電管12、第２の面状放電管13における背面基板20の内面20ａに反射層42を形成し、該反射層42の表面に第４の蛍光体32、第５の蛍光体33を配置しているので、背面基板20側に向かった光を反射層42で反射させて前面基板18側へ導くことができ、前面基板18の出光面18ｂから放射される光の強度を向上させることができる。この結果、透光性シート16に形成された第１の蛍光体14、第２の蛍光体15から発光される可視光の輝度向上を図ることができる。
【００３４】
次に、図１２及び図１３に基づいて、凹部30の形成された背面基板20の内面20ａに反射層42を形成すると共に、該反射層42の表面に、第４の蛍光体32、第５の蛍光体33を被着する方法について説明する。
上記第１の表示装置10の面状放電管12の場合と同様に、先ず、背面基板20の内面20ａに、多数の貫通孔34を有するマスク部材36を配置（図７参照）し、次に、マスク部材36の上方から背面基板20の内面20ａに向かって、粒子状の砂38を圧縮空気で吹き付けるサンドブラスト処理を施すことにより、マスク部材36の貫通孔34に対応する箇所の背面基板20の内面20ａを所定深さ削り、凹部30を形成する（図８参照）。
次に、背面基板20の内面20ａに白色誘電体を印刷塗布することにより、上記反射層42を形成する（図１２）。その後、背面基板20の上方から、第４の蛍光体32或いは第５の蛍光体33の分散された樹脂液を印刷塗布することにより、反射層42の表面に第４の蛍光体32或いは第５の蛍光体33が被着・配置される（図１３）。
【００３５】
図１４及び図１５は、本考案に係る第３の表示装置46を示すものであり、この第３の表示装置46は、第１の面状放電管12、第２の面状放電管13における背面基板20の内面20ａを白色化させて反射層42を形成し、該反射層42の表面に第４の蛍光体32、第５の蛍光体33を配置した点に特徴を有するものであり、その他の構成は、上記第２の表示装置40と実質的に同一である。
この反射層42は、例えば、平板ガラス等の透明絶縁材より成る背面基板20の内面20ａに、粒子状の砂を圧縮空気で吹き付けるサンドブラスト処理を施すことにより形成することができる。
この反射層42の形成後、第２の表示装置40の場合と同様、背面基板20の内面20ａに、多数の貫通孔34を有するマスク部材36を配置し、マスク部材36の上方から背面基板20の内面20ａに向かってサンドブラスト処理を施して凹部30を形成する。その後、第４の蛍光体32或いは第５の蛍光体33の分散された樹脂液を印刷塗布することにより、反射層42の表面に第４の蛍光体32或いは第５の蛍光体33が被着・配置される。
【００３６】
この第３の表示装置46にあっても、上記第２の表示装置40と同様に、第１の面状放電管12、第２の面状放電管13における背面基板20の内面20ａに反射層42を形成し、該反射層42の表面に第４の蛍光体32、第５の蛍光体33を配置しているので、背面基板20側に向かった光を反射層42で反射させて前面基板18側へ導くことができ、前面基板18の出光面18ｂから放射される光の強度を向上させることができる。この結果、透光性シート16に形成された第１の蛍光体14、第２の蛍光体15から発光される可視光の輝度向上を図ることができる。
【００３７】
図１６及び図１７は、本考案に係る第４の表示装置50を示すものであり、この第４の表示装置50は、ケース部材52の上端開口を、ガラス等より成る透光性基板54で閉塞して成る。
上記透光性基板54の外面は、後述する発光ダイオード（ＬＥＤ）から放射された光が出射する出光面54ａと成されており、第１の蛍光体14及び第２の蛍光体15が被着形成された透光性シート16は、透光性基板54の出光面54ａ上に載置されている。
上記ケース部材52内には、透光性シート16に形成された第１の蛍光体14を励起させる波長の紫外線を放射する第１の発光ダイオード56と、透光性シート16に形成された第２の蛍光体15を励起させる波長の青色可視光を放射する第２の発光ダイオード57が、ドットマトリクス状に複数配置されている。
この際、紫外線を放射する第１の発光ダイオード56の上方に、透光性シート16の第１の蛍光体14が配置されると共に、青色可視光を放射する第２の発光ダイオード57の上方に、透光性シート16の第２の蛍光体15が配置されるようになっている。
【００３８】
上記第４の表示装置50にあっては、第１の発光ダイオード56のみを駆動させると、第１の発光ダイオード56から放射された紫外線が、透光性基板54を透過して出光面54ａから外部へ放射され、透光性シート16に形成された第１の蛍光体14を励起する。この結果、第１の蛍光体14から所定色の可視光が発光され、「左折可」の文字と矢印「←」が表示されるのである（図５参照）。尚、透光性シート16の第２の蛍光体15は紫外線で励起されることはないため表示されない。
また、第２の発光ダイオード57のみを駆動させると、第２の発光ダイオード57から放射された青色可視光が、透光性基板54を透過して出光面54ａから外部へ放射され、透光性シート16に形成された第２の蛍光体15を励起する。この結果、第２の蛍光体15から所定色の可視光が発光され、「右折可」の文字と矢印「→」が表示されるのである（図６参照）。尚、透光性シート16の第１の蛍光体14は青色可視光で励起されることはないため表示されない。
さらに、第１の発光ダイオード56及び第２の発光ダイオード57の両方を駆動させると、第１の発光ダイオード56から放射された紫外線によって透光性シート16の第１の蛍光体14が励起されると共に、第２の発光ダイオード57から放射された青色可視光によって透光性シート16の第２の蛍光体15が励起され、第１の蛍光体14による「左折可」の文字と矢印「←」、第２の蛍光体15による「右折可」の文字と矢印「→」が表示される（図１７参照）。
上記の通り、ケース部材52は光反射率の高い材料で構成されているので、第１の発光ダイオード56、第２の発光ダイオード57から放射された光の中で、透光性基板54側に向かわなかった光を、上記ケース部材52で反射させて透光性基板54側へ導くことができる。
【００３９】
尚、上記透光性基板54を導光板で構成すると共に、透光性基板54の側面に沿って、ＬＥＤや放電管等の光源を配置するようにしても良い。
【００４０】
本考案の上記第１の表示装置10、第２の表示装置40、第３の表示装置46及び第４の表示装置50にあっては、光源を構成する前面基板18の出光面18ｂ上（第１の表示装置10、第２の表示装置40、第３の表示装置46の場合）、或いは、光源を構成する透光性基板54の出光面54ａ上（第４の表示装置50の場合）に、第１の蛍光体14、第２の蛍光体15が被着形成された透光性シート16を載置しているので、出光面18ｂ，54ａから放射される光を、殆ど拡散・減衰させることなく第１の蛍光体14、第２の蛍光体15に照射することができ、蛍光体14，15の発光輝度を高めることができる。
【００４１】
また、第１の表示装置10、第２の表示装置40、第３の表示装置46及び第４の表示装置50にあっては、光源を構成する前面基板18の出光面18ｂ上（第１の表示装置10、第２の表示装置40、第３の表示装置46の場合）、或いは、光源を構成する透光性基板54の出光面54ａ上（第４の表示装置50の場合）に、第１の蛍光体14、第２の蛍光体15が被着形成された透光性シート16を載置したことにより、光源と透光性シート16とが一体構成と成されており、その取扱いが容易である。
【００４２】
さらに、第１の表示装置10、第２の表示装置40、第３の表示装置46及び第４の表示装置50にあっては、透光性シート16に励起波長の異なる第１の蛍光体14及び第２の蛍光体15を形成すると共に、上記第１の蛍光体14及び第２の蛍光体15を励起する波長の光を放射する第１の面状放電管12及び第２の面状放電管13（第１の表示装置10、第２の表示装置40、第３の表示装置46の場合）、或いは、第１の発光ダイオード56及び第２の発光ダイオード57（第４の表示装置50の場合）を有しているので、第１の面状放電管12及び第２の面状放電管13の一方及び両方を選択的に駆動させることにより、或いは、第１の発光ダイオード56及び第２の発光ダイオード57の一方及び両方を選択的に駆動させることにより、第１の蛍光体14及び第２の蛍光体15の何れか一方のみの表示、及び、第１の蛍光体14及び第２の蛍光体15の両方の表示を行うことができる。
尚、上記においては、透光性シート16に励起波長の異なる２種類の蛍光体14，15を形成した場合を例に挙げて説明したが、本考案はこれに限定されるものではない。すなわち、透光性シート16に励起波長の異なる複数種類の蛍光体を形成すると共に、光源から、上記複数種類の蛍光体を励起する複数の波長の光を放射できるように構成されていれば良い。
【図面の簡単な説明】
【００４３】
【図１】本考案に係る第１の表示装置を示す概略断面図である。
【図２】本考案に係る第１の表示装置の正面図である。
【図３】第１の表示装置を構成する第１の放電管、第２の放電管を示す概略断面図である。
【図４】図３のＡ−Ａ概略断面図である。
【図５】第１の放電管だけを駆動させた際の表示状態を示す説明図である。
【図６】第２の放電管だけを駆動させた際の表示状態を示す説明図である。
【図７】第１の表示装置を構成する放電管の製造過程を示す説明図である。
【図８】第１の表示装置を構成する放電管の製造過程を示す説明図である。
【図９】第１の表示装置を構成する放電管の製造過程を示す説明図である。
【図１０】本考案に係る第２の表示装置を示す概略断面図である。
【図１１】第２の表示装置を構成する第１の放電管、第２の放電管を示す概略断面図である。
【図１２】第２の表示装置を構成する放電管の製造過程を示す説明図である。
【図１３】第２の表示装置を構成する放電管の製造過程を示す説明図である。
【図１４】本考案に係る第３の表示装置を示す概略断面図である。
【図１５】第３の表示装置を構成する第１の放電管、第２の放電管を示す概略断面図である。
【図１６】本考案に係る第４の表示装置を示す概略断面図である。
【図１７】本考案に係る第４の表示装置の正面図である。
【図１８】従来の表示装置を示す正面図である。
【図１９】従来の表示装置を示す平面図である。
【図２０】図１８のＡ−Ａ概略断面図である。
【符号の説明】
【００４４】
10  第１の表示装置
12  第１の面状放電管
13  第２の面状放電管
14  第１の蛍光体
15  第２の蛍光体
16  透光性シート
18  前面基板
18ｂ出光面
20  背面基板
20ａ背面基板の内面
24  気密外囲器
26  電極
30  凹部
32  第４の蛍光体
33  第５の蛍光体
40  第２の表示装置
42  反射層
46  第３の表示装置
50  第４の表示装置
54  透光性基板
54ａ出光面
56  第１の発光ダイオード
57  第２の発光ダイオード
【図１】
0003136905.tif 000003
【図２】
0003136905.tif 000004
【図３】
0003136905.tif 000005
【図４】
0003136905.tif 000006
【図５】
0003136905.tif 000007
【図６】
0003136905.tif 000008
【図７】
0003136905.tif 000009
【図８】
0003136905.tif 000010
【図９】
0003136905.tif 000011
【図１０】
0003136905.tif 000012
【図１１】
0003136905.tif 000013
【図１２】
0003136905.tif 000014
【図１３】
0003136905.tif 000015
【図１４】
0003136905.tif 000016
【図１５】
0003136905.tif 000017
【図１６】
0003136905.tif 000018
【図１７】
0003136905.tif 000019
【図１８】
0003136905.tif 000020
【図１９】
0003136905.tif 000021
【図２０】
0003136905.tif 000022